(57)【要約】      （修正有）【課題】被介助者に履かせやすい靴下を提供すること。【解決手段】それぞれの部位が連続して形成されている靴下であって、前記靴下１は、足挿入口部１１と、踵部１３と、中足部と、つま先部１５と、開口部１７と、固定部１６と、を備え、前記足挿入口部は、前記踵部を挟んで、前記中足部及び前記開口部とは反対側に設けられ、前記開口部は、前記つま先部の前方の縁に設けられていることを特徴とする。【選択図】図１
2020105667.tif 000002
【特許請求の範囲】
【請求項１】
それぞれの部位が連続して形成されている靴下であって、
前記靴下は、足挿入口部と、踵部と、中足部と、つま先部と、開口部と、固定部と、を備え、
前記足挿入口部は前記開口部とは反対側に設けられ、
前記開口部は、前記つま先部の前方の縁に設けられていることを特徴とする靴下。
【請求項２】
前記固定部は、ゴム紐であることを特徴とする、請求項１に記載の靴下。
【請求項３】
前記固定部は、帯状の紐であることを特徴とする、請求項１に記載の靴下。
【請求項４】
前記固定部は、前記靴下と、前記つま先部の任意の点と接する前記靴下の前額面と、の交線を、一周するように設けられていることを特徴とする、請求項１〜３の何れかに記載の靴下。
【請求項５】
前記中足部は、踵部との境界からつま先側に向かって、徐々に窄まるように形成されていることを特徴とする、請求項１〜４の何れかに記載の靴下。
【請求項６】
前記つま先部は、前記中足部と、前記つま先部と、の境界から、
前記固定部が連結されている部分に接する前記靴下の前額面と、前記つま先部と、の交線に向かって、徐々に窄まるように形成されていることを特徴とする、請求項１〜５の何れかに記載の靴下。
【発明の詳細な説明】
【技術分野】
【０００１】
本発明は、介助が必要な者（被介助者）、及びその介助者のための靴下に関する。
【背景技術】
【０００２】
靴下とは、通常、前後方向（解剖学における方向である。靴下を装着した際の向きとする）に長い袋状形態であり、対となる短辺のうち、一方の短辺にのみ足を挿入するための挿入口が設けられている。装着者が自分自身の手で履く場合には、なんら不便なくこの一般的な靴下を履くことができる。一方で、装着者が自分の手で履けない場合、つまり介助者に履かせてもらう場合には、上記のような一般的な靴下は履きにくい（履かせにくい）という問題がある。
【０００３】
引用文献１には、足に障害を持つ者や介助が必要な者に履かせやすくするための、靴下の技術が開示されている。引用文献１の靴下は、足の甲側のつま先から足首部分までに開閉部が設けられている（靴下の長手方向に切り込みが入っている）。
【先行技術文献】
【特許文献】
【０００４】
【特許文献１】特開２０００−２２０００３
【発明の概要】
【発明が解決しようとする課題】
【０００５】
介助が必要な者には赤子も含まれている。成人に靴下を履かせるのも体力的・体格的に難しいが、赤子に靴下を履かせるのも別の理由により難しいものである。赤子は足をよく動かし靴下を履かせようとしても暴れてしまうものだが、赤子は骨や関節が柔らかいため、暴れる足を押さえつけて無理に履かせようとすると、赤子に怪我をさせてしまう。従来の靴下や先行文献１の靴下は、両手で靴下を広げる必要があり、暴れる赤子の足を適切な力で抑えることが難しい。かといって、片手全体で赤子の足を抑えると、靴下を広げられず、さらに両端の指に靴下の挿入口を引っかけることも難しいため、スムーズに履かせることができない。
【０００６】
このような問題に鑑みて、本発明は、赤子などの被介助者に履かせやすい靴下を提供することを課題とする。
【課題を解決するための手段】
【０００７】
上記課題を解決するために、本発明は、それぞれの部位が連続して形成されている靴下であって、
前記靴下は、足挿入口部と、踵部と、中足部と、つま先部と、開口部と、固定部と、を備え、
前記足挿入口部は、前記開口部とは反対側に設けられ、
前記開口部は、前記つま先部の前方の縁に設けられていることを特徴とする。
【０００８】
このような構成とすることで、介助者は、つま先側に設けられた開口部から、手の指を挿入し、その指で被介助者の足を掴むことができる。開口部から挿入した指によって、靴下を左右に広げることができ、さらに被介助者の足を掴んだまま靴下を被介助者の足に移すことができるため、靴下が足の指に引っかからない。これにより、介助者は被介助者に靴下を履かせやすくなる。
【０００９】
本発明の好ましい形態では、前記固定部は、ゴム紐であることを特徴とする。もしくは、前記固定部は、帯状の紐であることを特徴とする。
このような構成とすることで、容易につま先部を縛ることができる。さらに、紐もゴム紐も柔らかいため、装着者が感じる履き心地も良い。
【００１０】
前記固定部は、前記靴下と、前記つま先部の任意の点と接する前記靴下の前額面と、の交線を、一周するように設けられていることを特徴とする。
このような構成とすることで、靴下を履かせる手順を、より一層簡略化できる。
【００１１】
本発明の好ましい形態では、前記中足部は、踵部との境界からつま先側に向かって、徐々に窄まるように形成されていることを特徴とする。
または、前記つま先部は、前記中足部と、前記つま先部と、の境界から、
前記固定部が連結されている部分に接する前記靴下の前額面と、前記つま先部と、の交線に向かって、徐々に窄まるように形成されていることを特徴とする。
このような構成とすることで、装着時のフィット感を向上させることができる。
【発明の効果】
【００１２】
本発明により、製造コストを抑え、尚且つ介助者が被介助者に簡単に履かせられる靴下を提供することができる。
【図面の簡単な説明】
【００１３】
【図１】本発明の実施形態１にかかる靴下の（ア）側面図  （イ）底面図
【図２】実施形態１に係る靴下の斜視図
【図３】実施形態１に係る靴下の着用方法を示す説明図
【図４】実施形態１に係る靴下の着用方法を示す説明図
【図５】実施形態１に係る靴下の着用方法を示す説明図
【図６】実施形態２に係る靴下の側面図
【図７】実施形態３に係る靴下の側面図
【図８】実施形態４に係る靴下の側面図
【発明を実施するための形態】
【００１４】
本発明の靴下の方向を説明する際には、前後、左右、上下、または前額面、といった言葉を用いているが、これは解剖学用語に則っている。装着者に履かれた状態において、装着者の身体の方向と靴下の方向が平行であると見なして、靴下の方向を表現しているものである。例えば、つま先から踵にかけては靴下の前後方向であり、踵から足首にかけては靴下の上下方向である。
【００１５】
各図に示される破線は、各部位（踵部、足首部、中足部、つま先部など）の境界を示しているが、わかりやすくするための表現であり、実際に各部位の境界が明確であるとは限らない。各部位は一体となって形成されているため、境界は曖昧である。ただし、各部位の位置関係は図や明細書の記載の通りである。
【００１６】
なお、本発明において、「中足部」は、「踵とつま先の間の部分」と定義している。
＜実施形態１＞
【００１７】
以下、図面を用いて本発明の実施形態１の靴下について説明する。本実施形態では、赤子（被介助者）と、赤子の世話をする者（介助者）を想定して図を作成したが、実施形態はこれに限らない。本発明は、年齢を問わず、介助が必要な者とその者の介助をする者のための靴下である。
【００１８】
図１、２に示されるように、実施形態１の靴下１は、全体が筒状であり、足挿入口部１１と、足首部１２と、踵部１３と、中足部１４と、つま先部１５と、開口部１７と、の順で、一体に形成されている。さらに、つま先部１５には、固定部１６が設けられている。足挿入口部１１と開口部１７は、それぞれ筒状に形成足された靴下１の２つの端部の名称である。図２に示されるように、足挿入口部１１及び開口部１７は、靴下１の内側に手や足を挿入できるように開口されている。
【００１９】
本実施形態では、足挿入口部１１は足首部１２の一方の縁（踵部１３との境界との反対側）に設けられている。ただし、実施形態はこれに限らず、図６に示された実施形態２の靴下２のように、足首部１２を備えず、踵部１３の一方の縁（踵部１３と中足部１４との境界との反対側）に足挿入口部１１を設けても良い。いわゆる、踝サイズの靴下となる。
【００２０】
本実施形態の固定部１６は、帯状のゴム紐を用いている。任意の長さに切断した帯状ゴム紐を、つま先部１５に縫い合わせている。固定部１６を縫い付ける場所は、図１（ア）の符号１８（縫い付け部１８）で示されたバツ印の部分である。縫い付け部１８は、円周Ｔ上の最下部に位置している。
なお、円周Ｔは、赤子が靴下を履いた際に赤子のつま先の先端が接すると想定される点を有する前額面Ｃと、靴下１との交線である。
【００２１】
本実施形態のつま先部１５は、つま先部本体１５ａと、反転部１５ｂと、を備えており、通常の靴下のつま先部よりも前後方向に長く形成されている。また、つま先部本体１５ａと反転部１５ｂとの境界は、円周Ｔである。
反転部１５ｂは、装着者（赤子）に履かせる際、固定部１６で線分Ｔ部分のつま先部１５を結んで固定したあと、靴下の後方に向かってをひっくり返すために設けられている（詳しくは、後述する使用方法を参照されたい）。こうすることで、よりつま先の保温性を高めることができる。さらに縫い目がつま先に触れないため、つま先の感触も良い。
また、つま先部本体１５ａは、反転部１５ｂとの境界に向かってわずかに窄まるように形成されている。図２のつま先部１５に示される点線は、つま先部１５の形状を表している。このようにすることで、装着時のフィット感をさらに高めることができる。
ただし、実施形態はこれに限らず、図６に示される実施形態２のように、反転部１５ｂを備えなくても良い。
【００２２】
踵部１３は、靴下１の方向が変わる部分である。装着者の踵に合うようにするための構造であり、従来の靴下で一般的に用いられる構造である。
【００２３】
次に、図３〜５を用いて、本実施形態の使用方法を説明する。なお、わかりやすくするために、靴下１を装着された赤子の足８を点線で示しているが、実際に靴下１の上から赤子の足８が見えるわけではない。
【００２４】
まず、図３（ア）に示すように、介助者９は、自分の右手の親指、人差し指、中指を、開口部１７から靴下１の内部に挿入し、反対側の足挿入口部１１から指を出す。
次に、図３（イ）に示すように、介助者９は、足挿入口部１１から出した３本の指で、赤子の足８を掴む。この時、赤子の足８の先から踵に向けて、親指と、人差し指及び中指と、の間に赤子の足８を入れるようにして掴むと良い。右手で赤子の足８を抑えている間に、介助者９は自身の左手で、右手に装着した靴下１を赤子の足８に移動させる。
靴下１を赤子の足８に移動させたら、靴下１を整える。この時、円周Ｔにあたる部分が、赤子の足８のつま先の先端より少しだけ前方に位置するように整えると、その後の手順がやりやすい。赤子の足８に履かせ、形を整えた状態が図４（ア）である。
次に、介助者は固定部１６でつま先１５を縛るようにして結ぶ（図５（ア））。最後に、反転部１５ｂを、後方に向かってひっくり返して、装着手順は終了する（図５（イ））。
【００２５】
なお、最後の手順（反転部１５ｂをひっくり返す）は、行わないことも考えられる。装着者や介助者の好みで良い。また、靴下のサイズによっては、最初に介助者が挿入する指の本数も変わる。つまり、成人用の靴下であれば、薬指や小指も靴下内に挿入した方が履かせやすい。
【００２６】
上記のような使用方法は、履かせやすい以外にも、靴下の中で髪の毛や糸くずが足に絡まってうっ血してしまう事故を防ぐことができる。一般的な靴下ではつま先側に異物が混入しているかどうかを確認するのは困難であるが、本発明の靴下は、つま先側も開口しているため、開口部から靴下内部の様子を確認することができる。
＜実施形態２＞
【００２７】
図６に示される実施形態２の靴下は、固定部２６がつま先部２５と一体となっている靴下２である。つま先部２５の縫い方や素材を変えることで、固定部２６が靴下２と任意の靴下２の前額面との交線（円周Ｔ）を一周するように設けられている。固定部２６により、円周Ｔ上でつま先部２５が著しく窄まっている。この固定部２６は、つま先部２５同様に伸縮可能となっている。そのため、介助者が被介助者に靴下２を履かせる際、窄まった固定部２６を広げることができる。履かせた後は、固定部２６が有する収縮性により、円周Ｔ上のつま先部２５が窄まる。
【００２８】
つま先部２５と固定部２６を一体化することで、実施形態１で必要であった固定部１６を結ぶ、という作業が不要となる。
固定部がつま先部と一体となっている点以外は、実施形態１と同様の為、説明を省略する。
＜実施形態３＞
【００２９】
実施形態１や２の靴下１は、反転部１５ｂが設けられているため保温性に優れているが、一方で夏などの気温が高い時期に履くには暑くなりすぎてしまう。図７に示される実施形態３の靴下３は、暑い時期にも快適に使用できるように、反転部１５ｂ・２５ｂを取り払った靴下である。靴下３は、足挿入口部３１と、踵部３３と、中足部３４と、つま先部３５と、開口部３７と、の順で、一体に形成されている。さらに、つま先部３５は、その前側に固定部３６を有している。
【００３０】
靴下３の固定部３６は、ゴム紐３６ａと、留め具３６ｂと、を有している。ゴム紐３６ａは、つま先部３５を一周するように並縫いされている。図７（イ）に示される通り、ゴム紐３６ａは、つま先部３５の先端側を絞ることができる。ゴム紐３６ａでつま先部３５を絞った後は、留め具３６ｂを移動させることで、その状態を維持することができる。
【００３１】
踵部３３、中足部３４、足挿入口部３１、開口部３７については、実施形態１の記載と同様の為、省略する。
【００３２】
図７（ウ）に示す通り、靴下３の踵部３３から開口部３７までの長さは、赤子の足８の長さよりも少し長くなっている。
【００３３】
使用方法については、固定部３６によるつま先部３５の固定より前の手順（図３〜５）は、実施形態１と同様の為、省略する。赤子の足８に靴下２を履かせて形を整えたら、前述の通りゴム紐３６ａを引っ張ってつま先部３５の先端側を絞る。絞った後、留め具３６ｂの位置を調整して、その状態を保持する。
＜実施形態４＞
【００３４】
図８に示される実施形態４は、実施形態３の固定部３６を、帯状のゴム紐とし、つま先部４５に余部４５ｂを設けた靴下４である。つま先部本体４５ａと余部４５ｂとの境界は、円周Ｔである。また、ゴム紐は、靴下４の円周Ｔ上の最下部に縫い付けられている。ゴム紐４６の形態は、実施形態１の固定部１６と同じである。
余部４５ｂは、つま先部４５を縛った固定部４６が外れない程度の長さが設けられていればよいため、実施形態１の反転部１５ｂよりも前後方向の長さが短くなっている。
【００３５】
固定部４６と、余部４５ｂ以外は実施形態３の靴下３と同じ構造のため、説明を省略する。また、使用方法も、実施形態１の「反転部１５ｂをひっくり返す（図５（イ））」という手順が無いだけで、その他の手順は同一の為、説明を省略する。
【符号の説明】
【００３６】
１  靴下（実施形態１）
１１  足挿入口部
１２  足首部
１３  踵部
１４  中足部
１５  つま先部
１５ａ  つま先部本体
１５ｂ  反転部
１６  固定部
１７  開口部
１８  縫い付け部
２  靴下（実施形態２）
２１  足挿入口部
２２  足首部
２３  踵部
２４  中足部
２５  つま先部
２５ａ  つま先部本体
２５ｂ  反転部
２６  固定部
２７  開口部
３  靴下（実施形態３）
３１  足挿入口部
３３  踵部
３４  中足部
３５  つま先部
３６  固定部
３６ａ  ゴム紐
３６ｂ  留め具
３７  開口部
４  靴下（実施形態４）
４１  足挿入口部
４３  踵部
４４  中足部
４５  つま先部
４５ａ  つま先部本体
４５ｂ  余部
４６  固定部（ゴム紐）
４７  開口部
９  介助者
８  被介助者の足（赤子の足）
Ｔ  円周
Ｃ  前額面
【図１】
2020105667.tif 000003
【図２】
2020105667.tif 000004
【図３】
2020105667.tif 000005
【図４】
2020105667.tif 000006
【図５】
2020105667.tif 000007
【図６】
2020105667.tif 000008
【図７】
2020105667.tif 000009
【図８】
2020105667.tif 000010